(57)【要約】【課題】大規模な検索システムを必要とせずに、小規模な構成で、新鮮な情報を提供することを目的としている。【解決手段】店舗名、電話番号、住所、緯度・経度、画像をまとめた地図情報を保存する保存領域と、現在位置を保存する保存領域と、広告情報を収集する距離を保存する保存領域と、前述した現在位置と距離の情報から、特定の範囲に存在するコンピュータネットワークを介して接続された広告情報提供端末に保存されている広告情報を収集する収集手段と、店舗名、電話番号、住所をキーとして前述した地図情報と広告情報をリンクさせるリンク手段と、地図画像、広告情報、地図上の店舗位置を一つの広告物として作成する作成手段と、作成した広告物を印刷する印刷手段とを有する事を特徴とする印刷装置。【選択図】        図１
2007011821.tif 000002
【特許請求の範囲】
【請求項１】
店舗名、電話番号、住所、緯度・経度、画像をまとめた地図情報を保存する保存領域と、現在位置を保存する保存領域と、広告情報を収集する距離を保存する保存領域と、前述した現在位置と距離の情報から、特定の範囲に存在するコンピュータネットワークを介して接続された広告情報提供端末に保存されている広告情報を収集する収集手段と、店舗名、電話番号、住所をキーとして前述した地図情報と広告情報をリンクさせるリンク手段と、地図画像、広告情報、地図上の店舗位置を一つの広告物として作成する作成手段と、作成した広告物を印刷する印刷手段とを有することを特徴とする印刷装置。
【請求項２】
前記印刷装置は、無線ＬＡＮのネットワーク接続を行う接続手段と、無線ＬＡＮが送受信可能な範囲に存在する広告情報提供端末に保存されている広告情報を収集する収集手段とを有することを特徴とする請求項１の印刷装置。
【請求項３】
前記印刷装置は、広告情報を収集する時間間隔を保存する領域と、その時間間隔の度に広告情報提供端末に対して広告情報の発信を促すことを特徴とする請求項１または２記載の印刷装置。
【請求項４】
前記印刷装置は、広告情報提供端末の広告情報ツール、もしくはＷｅｂブラウザから送信された広告情報の更新通知を受信する受信手段と、広告情報を受信可能であるかを確認する確認手段と、受信可能である時に広告情報提供端末に広告情報を発信することを促すことを特徴とする請求項１〜３いずれか記載の印刷装置。
【請求項５】
前記印刷装置は、広告情報の更新日時を保存する保存領域と、広告情報提供端末の接続状況を把握する把握手段と、これらの情報をアイコンで表現する表現手段と、印刷装置に保存された広告情報と共に前述したアイコンを表示パネルに表示させることを特徴とする請求項１〜４いずれか記載の印刷装置。
【請求項６】
前記印刷装置は、表示パネルで表示していない広告情報があるかの判断をする判断手段と、その情報があることをアイコンで表現させることを特徴とする請求項１〜５いずれか記載の印刷装置。
【請求項７】
情報提供者の名称、住所、電話番号、地理的位置、ネットワークアドレス、および提供する情報のジャンルなど、情報提供者の概要を記憶する第一の記憶手段と、上記第一の記憶手段に記憶した情報提供者が提供する情報を情報提供者名と対応して記憶しておく第二の記憶手段とを備えたことを特徴とする印刷装置。
【請求項８】
前記印刷装置は、さらに、通信する手段とを備え、前述の情報提供者の概要情報を、設置時にデータベースまたはサーバからダウンロードして第一の記憶手段に記憶することを特徴とする請求項７に記載の印刷装置。
【請求項９】
前記印刷装置は、前述の情報提供者の概要情報を、設置時にデータベースまたはサーバからダウンロードして第一の記憶手段に記憶する際に、該印刷装置の地理的位置情報を設定することにより、該印刷装置から一定距離以内の情報提供者の情報についてのみダウンロードすることを特徴とする請求項８に記載の印刷装置。
【請求項１０】
前記印刷装置は、さらに、情報提供者と通信する手段とを備え、情報提供者から通信手段を経由して収集し、情報を第二の記憶手段に記憶および更新することを特徴とする請求項７に記載の印刷装置。
【請求項１１】
前記印刷装置は、さらに、同様なサービスを提供する近隣の印刷装置と通信する手段とを備え、該印刷装置の第二の記憶手段に記憶している情報を、通信手段を経由して収集し、第二の記憶手段に記憶および更新することを特徴とする請求項７に記載の印刷装置。
【請求項１２】
前記印刷装置は、同様なサービスを提供する近隣の印刷装置の第二の記憶手段に記憶している情報を、通信手段を経由して収集し、第二の記憶手段に記憶および更新し、さらに、第二の記憶手段に記憶および更新できなかった情報提供者の情報は、該当する情報提供者から通信手段を経由して収集し、第二の記憶手段に記憶および更新ことを特徴とする請求項７に記載の印刷装置。
【請求項１３】
前記印刷装置において、第二の記憶手段に記憶した情報を更新するタイミングは、ある一定時間ごとに、または、あらかじめ決められた時刻に、およびユーザが指定した場合に、さらに情報提供者から情報が送られた場合であることを特徴とする請求項７に記載の印刷装置。
【請求項１４】
前記印刷装置において、第二の記憶手段に記憶した情報を、ユーザが指定した場合に、または情報提供者から情報が送られて更新した場合には、該当する情報提供者の情報を、他の同様なサービスを提供する近隣の印刷装置にて提供していないかを確認して、該当する印刷装置がある場合には、該当する印刷装置に、更新された情報を直ちに通信手段を経由して送信し、該当する印刷装置の第二の記憶手段の情報も更新することを特徴とする請求項１３に記載の印刷装置。
【発明の詳細な説明】
【技術分野】
【０００１】
本発明は、印刷制御装置、並びに印刷装置を用いた広告物の作成方法に関するものである。
【背景技術】
【０００２】
従来から、タウン情報、広告情報、企業情報等の多彩な情報を供給するための様々な手段が知られている。例えば、印刷物（出版物、イラストマップ）等を用いて、地図上に店舗等の位置を掲載し、併せて店舗等の広告内容や割引クーポン情報等を別欄・別頁に掲載して、当該店舗等の広告をおこなう手法である。また、その手法を更に発展させて、インターネット等の通信ネットワークを用いて、広告情報の収集から発信までをより迅速に行う技術が利用されている（例えば、特許文献１参照）。
【特許文献１】特開２０００−３５９７１号公報
【発明の開示】
【発明が解決しようとする課題】
【０００３】
しかしながら、従来の技術では広域な範囲の情報を収集する為、管理する広告情報は巨大化を免れない状況にある。その為、サーバを中心とした大規模なシステムを立ち上げねばならず、初期投資、およびメンテナンス費用の面で、大きな負担が情報提供側に発生していた。
【０００４】
本発明は、以上の点に着目して成されたもので、大規模な検索システムを必要とせずに、小規模な構成で、新鮮な情報を提供することを目的とする印刷装置を提供することを目的とする。
【課題を解決するための手段】
【０００５】
本発明に係る第１の発明は、店舗名、電話番号、住所、緯度・経度、画像をまとめた地図情報を保存する保存領域と、現在位置を保存する保存領域と、広告情報を収集する距離を保存する保存領域と、前述した現在位置と距離の情報から、特定の範囲に存在するコンピュータネットワークを介して接続された広告情報提供端末に保存されている広告情報を収集する収集手段と、店舗名、電話番号、住所をキーとして前述した地図情報と広告情報をリンクさせるリンク手段と、地図画像、広告情報、地図上の店舗位置を一つの広告物として作成する作成手段と、作成した広告物を印刷する印刷手段とを有するものである。
【０００６】
本発明に係る第２の発明は、無線ＬＡＮのネットワーク接続を行う接続手段と、無線ＬＡＮが送受信可能な範囲に存在する広告情報提供端末に保存されている広告情報を収集する収集手段とを有するものである。
【０００７】
本発明に係る第３の発明は、広告情報を収集する時間間隔を保存する領域と、その時間間隔の度に広告情報提供端末に対して広告情報の発信を促す要求手段とを有するものである。
【０００８】
本発明に係る第４の発明は、広告情報提供端末の広告情報ツール、もしくはＷｅｂブラウザから送信された広告情報の更新通知を受信する受信手段と、広告情報を受信可能であるかを確認する確認手段と、受信可能である時に広告情報提供端末に広告情報を発信する事を促す要求手段とを有するものである。
【０００９】
本発明に係る第５の発明は、広告情報の更新日時を保存する保存領域と、広告情報提供端末の接続状況を把握する把握手段と、これらの情報をアイコンで表現する表現手段と、印刷装置に保存された広告情報と共に前述したアイコンを表示パネルに表示させる表示手段とを有するものである。
【００１０】
本発明に係る第６の発明は、表示パネルで表示していない広告情報があるかの判断をする判断手段と、その情報がある事をアイコンで表現させる表示手段とを有するものである。
【００１１】
本発明に係る第７の発明は、情報提供者の名称、住所、電話番号、地理的位置、ネットワークアドレス、および提供する情報のジャンルなど、情報提供者の概要を記憶する第一の記憶手段と、上記第一の記憶手段に記憶した情報提供者が提供する情報を情報提供者名と対応して記憶しておく第二の記憶手段とを有するものである。
【００１２】
本発明に係る第８の発明は、さらに、通信する手段とを備え、前述の情報提供者の概要情報を、設置時にデータベースまたはサーバからダウンロードして第一の記憶手段に記憶するものである。
【００１３】
本発明に係る第９の発明は、前述の情報提供者の概要情報を、設置時にデータベースまたはサーバからダウンロードして第一の記憶手段に記憶する際に、該印刷装置の地理的位置情報を設定することにより、該印刷装置から一定距離以内の情報提供者の情報についてのみダウンロードするものである。
【００１４】
本発明に係る第１０の発明は、さらに、情報提供者と通信する手段とを備え、情報提供者から通信手段を経由して収集し、情報を第二の記憶手段に記憶および更新するものである。
【００１５】
本発明に係る第１１の発明は、さらに、同様なサービスを提供する近隣の印刷装置と通信する手段とを備え、該印刷装置の第二の記憶手段に記憶している情報を、通信手段を経由して収集し、第二の記憶手段に記憶および更新するものである。
【００１６】
本発明に係る第１２の発明は、さらに、第二の記憶手段に記憶および更新できなかった情報提供者の情報は、該当する情報提供者から通信手段を経由して収集し、第二の記憶手段に記憶および更新するものである。
【００１７】
本発明に係る第１３の発明では、第二の記憶手段に記憶した情報を更新するタイミングを、ある一定時間ごとに、または、あらかじめ決められた時刻に、およびユーザが指定した場合に、さらに情報提供者から情報が送られた場合にしている。
【００１８】
本発明に係る第１４の発明は、第二の記憶手段に記憶した情報を、ユーザが指定した場合に、または情報提供者から情報が送られて更新した場合には、該当する情報提供者の情報を、他の同様なサービスを提供する近隣の印刷装置にて提供していないかを確認して、該当する印刷装置がある場合には、該当する印刷装置に、更新された情報を直ちに通信手段を経由して送信し、該当する印刷装置の第二の記憶手段の情報も更新するものである。
【００１９】
［作用］
本発明に係る第７の発明では、第一の記憶手段と、第二の記憶手段とを有するので、それぞれデータの記憶および更新の方法を変えることができる。
【００２０】
本発明に係る第８の発明では、第一の記憶手段は、設置時、すなわち最初に一回記憶すれば良くなる。
【００２１】
本発明に係る第９の発明では、情報を提供する範囲を設定して、情報提供者の範囲を狭め、第一の記憶手段に記憶する概要情報の情報量を最小限にするものである。
【００２２】
本発明に係る第１０の発明では、情報提供者から通信手段を経由して情報を直接収集し、情報を第二の記憶手段に記憶および更新することができる。
【００２３】
本発明に係る第１１の発明では、さらに、同様なサービスを提供する近隣の印刷装置と通信する手段とを備え、該印刷装置の第二の記憶手段に記憶している情報を、通信手段を経由して収集し、自機と同じ情報提供者の情報がある場合は、第二の記憶手段に記憶および更新することができる。
【００２４】
本発明に係る第１２の発明では、他の印刷装置からの情報で、第二の記憶手段に記憶および更新することができなかった部分を、該当する情報提供者から通信手段を経由して収集し、通信回数を減らすことができる。
【００２５】
本発明に係る第１３の発明では、定期的および、情報提供者が更新した場合に、直ちに更新することができる。
【００２６】
本発明に係る第１４の発明では、１つの印刷装置の第二の記憶手段に記憶した情報が更新されたら、他の印刷装置でも重複して情報を記憶している場合には、他の印刷装置でも直ちに情報を更新することができる。
【発明の効果】
【００２７】
本発明によれば、広告情報の収集範囲を狭めて印刷装置内のハードディスクのみで情報を管理する事、並びに、無線ＬＡＮによるアドホック通信を導入する事により、極めて簡易で安価な広告情報の印刷システムを実現している。
【発明を実施するための最良の形態】
【００２８】
本発明は、ハードディスクを内蔵している印刷装置に実施されるものである。
【実施例１】
【００２９】
本実施例の構成を説明する前に、本実施例を適用する印刷装置のコントローラハードの構成について説明する。
【００３０】
図１は、本発明の一実施例を示す印刷装置および印刷制御装置の制御構成を示すブロック図である。同図において、１は本実施例の印刷装置本体で以下の構成を含んでいる。２はＣＰＵであり、例えばマイクロコンピュータ等であり、ＲＯＭ３等に格納されているプログラムに従ってＣＰＵバス２ａを介して本実施例全体の制御を司る。４はＲＡＭで、ＣＰＵ２のワークエリア、及びホストコンピュータから送信された印刷ジョブの受信領域として使用される。通信制御部５は地図サーバ、及び広告情報提供端末との通信制御を司り、６は広告を出力指示する為の操作パネルであり、７は印刷装置の情報を操作者に表示する為の表示パネルである。８はＮＶ−ＲＡＭで各環境の設定値を保存する。８ａは印刷装置の現在位置を保存する領域であり、８ｂは広告情報を収集する範囲を保存する領域であり、８ｃは広告情報を収集する時間間隔を保存する領域である。９はハードディスクであり、９ａは地図サーバから送られた地図情報を保存する為の周辺地図情報領域であり、項目は地図と、管理番号、位置、店舗名、電話番号、住所である。９ｂは広告情報提供端末から送られた広告情報を保存する為の広告情報ＤＢ領域であり、項目は店舗名、電話番号、住所、文字情報、画像情報、管理番号、補助領域である。
【００３１】
図２は本発明の印刷装置を用いた周辺広告印刷システムの全体構成を示す図である。同図において、１は印刷装置であり、１ａは図１−９ａの周辺地図情報領域、１ｂは図１−９ｂの広告情報ＤＢ領域を示している。２は地図サーバであり、２ａの広域地図情報が内蔵している。２ａでは、地図画像と店舗名、電話番号、住所、経度・緯度が関連付けられた形式で整理されている。なお、本実施例においては便宜的に地図サーバという形で表現しているが、広域地図情報を必要とするのは印刷装置の初期設定のみであるので、必ずしもオンラインで接続している必要は無い。３、５、６は無線ＬＡＮ装置を搭載した広告情報提供端末であり、４はインターネット等の有線のネットワーク回線に接続された広告情報提供端末である。なお、広告情報提供端末としては、パーソナルコンピュータ、携帯電話、ＰＤＡ等を想定している。また、各広告情報提供端末には、３ａ、４ａ、５ａ、６ａのように広告情報領域を設けている。７は出力された周辺広告であり、８は印刷装置に設定された情報取得距離であり、９は無線ＬＡＮで通信可能な範囲である。
【００３２】
図３は本発明を示す周辺広告印刷システムにおける第１の処理手順の一例を示す図である。なお、図３の（１０１）〜（４０７）は各ステップを示しており、特にステップ（１０１）〜（１１６）は図１で示した３のＲＯＭに格納される制御プログラムに基づいて２のＣＰＵにより実行される処理手順に対応する。
【００３３】
まず、ステップ（１０１）では印刷装置を設置している現在位置を入力し、ステップ（１０２）では情報取得距離を入力する。ステップ（１０３）では、入力された現在位置（図１−８ａ）と情報取得距離（図１−８ｂ）から、広告情報を取得する範囲（左上と右下）を算出し、地図サーバにその範囲の地図情報を要求する。ステップ（２０１）では、地図サーバから要求された範囲の地図画像、及び地図画像にリンクされた詳細情報が印刷装置に送信される。ステップ（１０４）では、送信された地図情報をハードディスクの周辺地図情報領域（図１−９ａ）に保存を行う。印刷装置のステップ（１０５）以降の処理については、広告情報提供端末の初期設定が成されている事が前提である為、ここで広告情報提供端末の処理に説明を移す事とする。
【００３４】
ステップ（３０１）では広告情報ツールのインストールを行い、ステップ（３０２）で広告情報ツールを起動している。なお、本実施例では便宜的に広告情報提供端末にツールを入れる事で説明を進めるが、印刷装置の通信制御部（図１−５）にＷｅｂサーバ機能を搭載し、印刷装置内のホームページにアクセスする方法でも問題は無い。ステップ（３０３）では、広告として載せたい情報を入力している。基本的な情報としては店舗名、電話番号、住所、文書による宣伝文句やクーポン割引情報、店内や商品の画像情報が考えられる。ステップ（３０４）では保存を行っており、ここでツールの動作としては印刷装置に広告情報を登録した事を通知するべきであるが、この段階では印刷装置の存在が不明である為、通知は見送られている。以上が広告情報提供端末の初期設定である。
【００３５】
ステップ（１０５）では、印刷装置から全ての広告情報提供端末に対して広告情報を登録するように要求コマンドを送信している。その際、要求コマンドには印刷装置の名称と情報取得距離（図１−８ｂ）の数値が入っている事とする。更に、広告情報提供端末が有線接続の場合は、ＩＰアドレスをステップ（１０１）〜（１０４）のいずれかのタイミングであらかじめ登録している事とする。また、ステップ（１０５）の処理は、以後、広告情報要求時間（図１−８ｃ）に保存されている時間毎に発生する処理である。ステップ（３０５）では送信されてきた印刷装置の名称を広告情報ツールのデータ領域の中に保存している。ステップ（３０６）では広告情報ツールが自動的に印刷装置に対して広告情報を送信する。ステップ（１０６）では送信された広告情報を広告情報ＤＢ領域（図１−９ｂ）に保存をする。ステップ（１０７）では、周辺地図情報領域（図１−９ａ）を検索して広告情報に対する管理番号を調べている。その際、検索するキーとしては、広告情報の中から店舗名、電話番号、住所を使用する事とする。また、検索しても情報が存在しないケースや、検索キーの一部しか該当しないケースでは、広告情報提供端末に対してアナウンスが必要となるが、例外処理であるのでここでは説明を割愛する。ステップ（１０８）では、広告情報ＤＢ領域（図１−９ｂ）にステップ（１０７）で検索された管理番号を追加保存する。
【００３６】
次に広告情報が更新された際の処理について説明する。
【００３７】
ステップ（３０７）で広告情報提供端末が広告情報の更新を行い、ステップ（３０８）では広告情報の保存を行う。ステップ（３０９）では、広告情報ツールから印刷装置に対して広告情報が更新された事を通知する。通知を受けた印刷装置は、広告情報を受け取れる状態になった時に限り、ステップ（１０９）で広告情報提供端末に対して広告情報の送信を要求する。それを受けて、ステップ（３１０）では、広告情報ツールが広告情報を自動的に印刷装置へ送信を行い、ステップ（１１０）では、広告情報ＤＢ領域（図１−９ｂ）に保存されている店舗情報を更新する。
【００３８】
次に、ユーザが印刷装置に集められた広告情報を印刷する際の処理について説明する。
【００３９】
まず、ステップ（４０１）では、ユーザが印刷装置の操作パネル（図１−６）を操作して広告情報印刷モードを選択する。ステップ（１１１）では、印刷装置の表示パネル（図１−７）に図４を例とする広告情報印刷モードの操作画面を表示する。尚、本実施例で用いる表示パネル（図１−７）は操作パネル（図１−６）の機能を兼ねる物とする。表示パネル（図１−７）では、印刷装置に保存されている広告情報の簡易的な内容を表示している。広告情報を登録した店舗が多く、複数画面に渡る場合はページ変更ボタン（図４―３）をクリックする事で画面切替えを行う。また、印刷装置はステップ（１０５）とステップ（３０６）の処理を用いる事で広告情報提供端末の接続状況を確認する事が可能である。加えて、広告情報ＤＢ領域（図１−９ｂ）の更新日時を用いる事で広告情報の鮮度を確認する事が可能である。そこで、図４のように新しい情報＋接続中の店舗をタイプ１（図４−４）、新しい情報＋非接続中の店舗をタイプ２（図４−５）、古い情報＋非接続中の店舗をタイプ３（図４−６）と、少なくとも３タイプ以上のジャンル分けをしてユーザに知らせる事とする。更に、一つの小さなアイコンに表示しきれない詳細情報が保存されている場合は↓の表示（図４−４）（図４−６）を行い、パネル操作により表示する事を可能とする。また、ジャンル別に広告情報を見たい場合はジャンル別ボタン（図４−２）をクリックする事で、ソートして再表示する事とする。以上のステップ（４０２）とステップ（１１２）にあたる表示パネルの操作を繰り返した後、ステップ（４０３）に進み、広告印刷ボタン（図４−１）をクリックして印刷を実行する。ステップ（１１３）では、地図画像（図１−９ａ）をメモリ上（図１−４）に展開を行う。ステップ（１１４）では、広告情報ＤＢ領域（図１−９ｂ）に保存されている店舗をメモリ上（図１−４）に展開した地図画像に貼り付ける。その際、各店舗の地図上の位置については、管理番号をキーとして周辺地図情報領域（図１−９ａ）にある経度・緯度を取得して算出する。ステップ（１１５）では、広告情報ＤＢ領域（図１−９ｂ）に保存されている各店舗の広告情報をメモリ上（図１−４）に展開した地図画像＋店舗位置とは重ならない領域に貼り付ける。ステップ（１１６）では、メモリ上に展開したデータから周辺広告を印刷する。ステップ（４０４）では、ユーザが図５を例とする周辺広告を取得する。
【実施例２】
【００４０】
本発明に係る第７から第１４の発明の一実施例を以下に述べる。
【００４１】
図６は、本発明による印刷装置の構成例である。ここで、図１と番号が同じものは同じ名称、機能を有するため、説明は省略する。
【００４２】
図１との違いは、ハードディスク９である。図６では、第一の記憶手段が９ｃ、第二の記憶手段が９ｄである。第一の記憶手段９ｃに記憶する情報を模式的に図７に示す。
【００４３】
図７において、Ａの部分が、『情報提供者の概要』である。また、Ｂの部分が後でのべる、他の印刷装置と位置的情報の重複を示している。またＣの部分が各情報の最終更新日時を表している。
【００４４】
なお、第二の記憶手段９ｄは図示しないが、各情報提供者の提供する情報なので、画像あり、テキストあり、各種の情報となる。ただし、情報提供者番号と対応させて、記憶していく。
【００４５】
次に、本印刷装置の動作について説明する。
【００４６】
まず、設置時の動作フローを図８で説明する。左側のフローが新規設置する印刷装置、右側がデータベース、サーバもしくホストコンピュータなどで、マスターＤＢである。
【００４７】
また、以下の説明を分かりやすくするために、図６の印刷装置、情報提供者の位置関係を模式的に図９に示す。印刷装置４が新規設置する印刷装置であり、番号はそれぞれ図６と対応している。
【００４８】
まずステップ９１１で、新規設置要求を、ローカルＩ／Ｆを含む、通信手段によりマスターＤＢに行う。マスターＤＢは、ステップ９２１で新規設置要求を受け付け、設置時の動作に入る。
【００４９】
次に、ステップ９１２で、印刷装置は印刷装置の位置情報を送る。設置者が住所、緯度・経度を入力しても、また印刷装置自身が位置検知手段、例えばＧＰＳなどを装備していても良い。ステップ９２２でマスターＤＢは新規印刷装置の位置を受け付ける。
【００５０】
次に、マスターＤＢはステップ９２３で、新規に設置した印刷装置から一定距離の範囲内にある、同様なサービスを行っている印刷装置、および情報提供者を検索し、検索した情報を、新規設置する印刷装置に送信する。
【００５１】
ステップ９１３にて、マスターＤＢより送られた情報を受理して、情報提供者の概要９ｃにおいて、ＡとＢの部分を記憶する。
【００５２】
次にステップ９１４で、９ｃのＢ部分のリストより、既に近隣の印刷装置に情報がある場合には、通信手段を介して該当する印刷装置に問い合わせ、該当する印刷装置の第二の記憶手段９ｄに記憶してある情報を取得し、自機の第二の記憶手段９ｄに記憶する。
【００５３】
次にステップ９１５で、他の印刷装置に情報がない、情報提供者に通信手段を介して問い合わせ、各情報提供者の情報を収集し、自機の第二の記憶手段９ｄに記憶する。
【００５４】
次にステップ９１６で、第一の記憶手段９ｃおよび第二の記憶手段９ｄが全て埋まったら、設置終了となる。もし、全てが埋まらない場合は、ステップ９１４と９１５を繰り返し、全てを埋める。
【００５５】
次に、印刷装置の動作を、図１０のフローに従って説明する。
【００５６】
ステップ１１０１で、印刷要求があるかポーリングしている。印刷要求があると、ステップ１１０２に進み、印刷条件を設定する。印刷設定については、実施例１を参照のこと。
【００５７】
ここで、もし、ユーザが最新の情報に更新したい場合は（ステップ１１０３）、個別に情報提供者に問い合わせて最新の情報を取得し（ステップ１１０４）、最新の情報を表示する（ステップ１１０５）。ステップ１１０３で最新情報に更新する必要がない場合は、ステップ１１０６に飛び印刷レイアウトを表示し、次に、ステップ１１０７で印刷するレイアウトをユーザに確認し、ＯＫならば印刷する（ステップ１１０８）。ステップ１１０９で終了か確認し、ＯＫならばステップ１１１０に飛ぶ。ステップ１１０７およびステップ１１０９にてＮＧの場合は、ステップ１１０２に戻り、やり直す。
【００５８】
ステップ１１１０では、ステップ１１０４で情報の更新があり、他の印刷装置にも同じ情報提供者の情報をもっているかを確認し、その場合は、ステップ１１１１にて該当する印刷装置に更新された情報を送信する。
【００５９】
次に、第二の記憶手段９ｄに記憶した情報を更新する動作を図１１に示す。
【００６０】
図１１において、まず、ステップ１２０１で、ステップ１１１１で説明した他装置への情報更新データが自機に送られていないか確認し、更新データがある場合は、ステップ１２０２で情報を更新する。もし更新データが内場合は、自ステップ１２０３に飛ぶ。
【００６１】
ステップ１２０３は、あらかじめきめられた更新間隔や時刻でないかを確認し、更新時刻ならば、まず、ステップ１２０４で他の印刷装置に、重複する情報に更新がないか情報収集し確認し、それ以外の情報提供者については、直接通信によって、情報を収集し、ステップ１２０５で情報を更新する。その際情報提供者の概要９ｃのＣ部分についても更新した日時を記入しておく。
【００６２】
ステップ１２０５で、全部の情報が更新されたか確認し、全ての更新が終わったら、始めにもどる。
【図面の簡単な説明】
【００６３】
【図１】印刷装置の制御構成を示すブロック図（実施例１）
【図２】周辺広告印刷システムの全体構成（実施例１）
【図３】周辺広告印刷システムの処理手順
【図４】操作パネル・表示パネルのイメージ
【図５】広告物のイメージ
【図６】印刷装置の制御構成を示すブロック図（実施例２）
【図７】情報提供者の概略情報
【図８】印刷装置の設置フロー図
【図９】印刷装置と情報提供者の位置説明図
【図１０】印刷装置の動作フロー図
【図１１】印刷装置の情報更新フロー図
【符号の説明】
【００６４】
図１の符号
１    印刷装置
２    ＣＰＵ
２ａ  ＣＰＵバス
３    ＲＯＭ
４    ＲＡＭ
５    通信制御部
６    操作パネル
７    表示パネル
８    ＮＶ−ＲＡＭ
８ａ  現在位置（変数）
８ｂ  情報取得距離（変数）
８ｃ  広告情報要求時間（変数）
９    ハードディク
９ａ  周辺地図情報領域
９ｂ  広告情報ＤＢ領域
図２の符号
１    印刷装置
１ａ  周辺地図情報領域
１ｂ  広告情報ＤＢ領域
２    地図サーバ
２ａ  広域地図情報領域
３，５，６    広告情報提供端末（無線ＬＡＮ装置搭載）
４    広告情報提供端末（有線ＬＡＮ）
３ａ，４ａ，５ａ，６ａ  広告情報領域
７    周辺広告
８    情報取得距離
９    無線ＬＡＮ通信可能範囲
【図１】
2007011821.tif 000003
【図２】
2007011821.tif 000004
【図３】
2007011821.tif 000005
【図４】
2007011821.tif 000006
【図５】
2007011821.tif 000007
【図６】
2007011821.tif 000008
【図７】
2007011821.tif 000009
【図８】
2007011821.tif 000010
【図９】
2007011821.tif 000011
【図１０】
2007011821.tif 000012
【図１１】
2007011821.tif 000013